(57)【要約】【課題】セルフタイマー撮影時に、被写体をうまく撮影できない課題がある。【解決手段】被写体像を撮像する撮像部１１１、１０１、１０２と、撮像部の出力を処理し画像信号を出力する信号処理部１０２と、信号処理部１０２が出力する画像信号を記録媒体１０９に記録する記録部１０８と、信号処理部１０２が出力する画像信号に含まれる人物の顔を検出する顔領域検出部１０４と、顔領域検出部１０４の出力する情報を用いて顔照合データベース１０６内の画像と照合する顔照合部１０５と、顔照合部１０５が出力する情報に基づき、人物の移動速度が所定の速度以下かどうかを検出する停止状態検出部１０７と、停止状態検出部１０７の検出結果に基づき、記録部１０８を制御する制御部１１０と、を備える。【選択図】図１
2010263456.tif 000002
【特許請求の範囲】
【請求項１】
被写体像を撮像する撮像部と、
前記撮像部の出力を処理し画像信号を出力する信号処理部と、
前記信号処理部が出力する画像信号を記録媒体に記録する記録部と、
前記信号処理部が出力する画像信号に含まれる人物の顔を検出する顔領域検出部と、
前記顔領域検出部の出力する情報を用いて顔照合データベース内の画像と照合する顔照合部と、
前記顔照合部が出力する情報に基づき、人物の移動速度が所定の速度以下かどうかを検出する停止状態検出部と、
前記停止状態検出部の検出結果に基づき、前記記録部を制御する制御部と、
を備える撮像装置。
【請求項２】
被写体像を撮像する撮像工程と、
前記撮像工程の出力を処理し画像信号を出力する信号処理工程と、
前記信号処理工程が出力する画像信号を記録媒体に記録する記録工程と、
前記信号処理工程が出力する画像信号に含まれる人物の顔を検出する顔領域検出工程と、
前記顔領域検出工程の出力する情報を用いて顔照合データベース内の画像と照合する顔照合工程と、
前記顔照合工程が出力する情報に基づき、人物の移動速度が所定の速度以下かどうかを検出する停止状態検出工程と、
前記停止状態検出工程の検出結果に基づき、前記記録工程を制御する制御工程と、
を含む撮像方法。
【請求項３】
コンピュータに、
被写体像を撮像する撮像工程と、
前記撮像工程の出力を処理し画像信号を出力する信号処理工程と、
前記信号処理工程が出力する画像信号を記録媒体に記録する記録工程と、
前記信号処理工程が出力する画像信号に含まれる人物の顔を検出する顔領域検出工程と、
前記顔領域検出工程の出力する情報を用いて顔照合データベース内の画像と照合する顔照合工程と、
前記顔照合工程が出力する情報に基づき、人物の移動速度が所定の速度以下かどうかを検出する停止状態検出工程と、
前記停止状態検出工程の検出結果に基づき、前記記録工程を制御する制御工程と、
を実行させるプログラム。
【発明の詳細な説明】
【技術分野】
【０００１】
本発明は、撮像装置において被写体を自動的に撮影する技術に関する。
【背景技術】
【０００２】
デジタルスチルカメラにおいて、セルフタイマー撮影機能を用いて撮影者が自ら被写体となって撮影する場合は、撮影者がセルフタイマー起動後に一定時間が経過すると自動的に撮影が行われるため、撮影者が所望の位置に到着しているかどうかにかかわらず撮影が行われるため、撮影者が所望の位置に到着していない場合は望ましい写真が撮影できない。
【０００３】
改善策として、例えば、特許文献１は、撮像画像を複数ブロックに分割し、人物の顔が含まれるブロック内の物体の動きが所定の速度以下になったことを検知したのちに撮影を行う方法を提案している。
【先行技術文献】
【特許文献】
【０００４】
【特許文献１】特開２００６−２３７９６１号公報
【発明の概要】
【発明が解決しようとする課題】
【０００５】
しかしながら、特許文献１の方法では人物の含まれるブロック内にたとえば絶えず動き続ける小動物が含まれるような場合はいつまでも撮影が行われないことになる。また人物の含まれるブロック内に風に揺れ動く草木が含まれるような場合にもやはり撮影ができないことになる。
【０００６】
本発明の目的は、セルフタイマー撮影に限らず、動きのある被写体を適切に撮影する撮像装置を提供することである。
【課題を解決するための手段】
【０００７】
上記課題を解決するために、本発明の撮像装置は、被写体像を撮像する撮像部と、前記撮像部の出力を処理し画像信号を出力する信号処理部と、前記信号処理部が出力する画像信号を記録媒体に記録する記録部と、前記信号処理部が出力する画像信号に含まれる人物の顔を検出する顔領域検出部と、前記顔領域検出部の出力する情報を用いて顔照合データベース内の画像と照合する顔照合部と、前記顔照合部が出力する情報に基づき、人物の移動速度が所定の速度以下かどうかを検出する停止状態検出部と、前記停止状態検出部の検出結果に基づき、前記記録部を制御する制御部と、を備える。
【発明の効果】
【０００８】
本発明の撮像装置によれば、セルフタイマー撮影に限らず、動きのある被写体を適切に撮影することが可能になる。
【図面の簡単な説明】
【０００９】
【図１】実施の形態１による撮像装置の構成を示すブロック図
【図２】実施の形態１における撮影動作の一例を示すフローチャート
【発明を実施するための形態】
【００１０】
以下、図面を参照しながら、撮像装置の一実施の形態を説明する。本発明による撮像装置は、デジタルスチルカメラや静止画記録機能を有する携帯電話やデジタルビデオカメラ等として実施される。以下では、撮像装置の実施形態としてデジタルスチルカメラを例に挙げて説明する。
【００１１】
（実施の形態１）
図１は、本実施形態１によるデジタルスチルカメラ１００の構成を示す。デジタルスチルカメラ１００は、光学系１１１と、撮像素子１０１と、ＡＤコンバータ１１２と、信号処理部１０２と、フレームメモリ１０３と、顔領域検出部１０４と、顔照合部１０５と、顔照合データベース１０６と、停止状態検出部１０７と、記録部１０８と、記録媒体１０９と、制御部１１０とを含む。
【００１２】
光学系１１１は、対物レンズ、ズームレンズ、絞り、ＯＩＳ（Ｏｐｔｉｃａｌ  Ｉｍａｇｅ  Ｓｔａｂｉｌｉｚｅｒ）ユニット、フォーカスレンズ等を含む。光学系１１１は、被写体からの光を集光し、被写体像を形成する。
【００１３】
撮像素子１０１は、光学系１１１で形成された被写体像を撮像して、画像データを生成する。撮像素子１０１は、ＣＣＤ（Ｃｈａｒｇｅ  Ｃｏｕｐｌｅｄ  Ｄｅｖｉｃｅ）、ＣＭＯＳなどが用いられる。ＡＤコンバータ１１２は、撮像素子１０１で生成された画像データをデジタル信号に変換する。
【００１４】
信号処理部１０２は、ＡＤコンバータ１１２の出力信号を画像に変換してフレームメモリ１０３に出力する。信号処理部１０２は、ガンマ補正やホワイトバランス補正などの各種画像処理を行う。フレームメモリ１０３は信号処理部１０２からの画像出力を蓄積する。
【００１５】
記録部１０８はフレームメモリ１０３に蓄積された画像を記録媒体１０９に記録する。
記録媒体１０９は、半導体メモリカード、ハードディスク、ＤＶＤ（Ｄｉｇｉｔａｌ  Ｖｅｒｓａｔｉｌｅ  Ｄｉｓｃ）や、ＢＤ（Ｂｌｕ−ｒａｙ  Ｄｉｓｃ）等である。
【００１６】
顔領域検出部１０４はフレームメモリ１０３に新たな画像が蓄積されるとその画像に含まれる人物の顔を検出し、顔照合部１０５に少なくとも顔の位置、大きさを出力する。顔照合データベース１０６は１つ以上の顔画像を含むデータベースであり、顔には人物ごとにＩＤ番号が付与されているものとする。顔照合部１０５は顔領域検出部１０４から受信した顔の位置、大きさからフレームメモリ１０３上の顔を含む画像と顔照合データベース１０６内の画像を照合しデータベース上の顔と一致するものがあるかどうか照合し、照合結果として、顔のＩＤ番号と位置を停止状態検出部１０７に送信する。停止状態検出部１０７は顔のＩＤ番号ごとに前回の位置情報を記憶しており、前回の位置と今回の位置の差分から移動速度を算出する。算出された移動速度が所定の速度以下であれば制御部１１０に撮影記録指示を送出する。制御部１１０は装置全体の制御をつかさどり、撮像素子１０１、信号処理部１０２に撮影を指令する。
【００１７】
次に図２を用いて、全体的な動作を説明する。まず停止状態を検出するべき顔を顔照合データベース１０６に登録する（Ｓ２０１）。顔の選択は、デジタルスチルカメラ１００の液晶モニタ（図示せず）上で、顔照合データベース１０６に登録された顔から、操作部（図示せず）を操作して、特定人物を選択することにより、行う。次にセルフタイマー撮影モードを起動する（Ｓ２０２）。このとき停止状態検出部１０７が記憶する前回の位置情報を消去しておく。そして予備撮影を行う（Ｓ２０３）。予備撮影では制御部１１０の命令により撮像素子１０１、信号処理部１０２は撮影を行う。フレームメモリ１０３に新たな画像が蓄積されると顔領域検出部１０４は人物の顔を検出し、顔照合部１０５に顔の位置、大きさを出力する。顔照合部１０５は顔領域検出部１０４から受信した顔の位置、大きさからフレームメモリ１０３上の顔を含む画像と顔照合データベース１０６内の画像を照合し、データベース上の顔のうちＳ２０１で指定した顔と一致するものがあるかどうか照合し、照合結果として、顔のＩＤ番号と位置を停止状態検出部１０７に送信する（Ｓ２０４）。停止状態検出部１０７は前回の位置と今回の位置の差分から移動速度を算出するが１回目の予備撮影では前回の位置の情報がないため移動速度が算出できないため再び予備撮影を行う（Ｓ２０５→Ｓ２０３）。２回目以降で正常に移動速度が検出できた場合は移動速度が所定の速度以下であるかどうか判定を行う（Ｓ２０６）。ＮＯであれば再びＳ２０３に戻り、ＹＥＳであれば本撮影を行う（Ｓ２０７）。本撮影では予備撮影と同様にフレームメモリ１０３に新たに画像を蓄積し、記録部１０８により記録媒体１０９に画像を記録する。
【００１８】
以上のように、本実施の形態１によれば、被写体人物を認識し、指定された人物の移動速度が所定の速度以下である場合に撮影を行うことにより、セルフタイマー撮影に限らず、適切な撮影方法を提供可能になる。
【００１９】
なお、本実施の形態１では、セルフタイマー撮影モード時の動作について説明したが、撮影する被写体の動きが所定速度以下の時に、自動的に撮影を行うモードを別途設定する形態であってもよい。
【産業上の利用可能性】
【００２０】
本発明の撮像装置によれば、セルフタイマー撮影に限らず、動きのある被写体を適切に撮影することが可能になり、デジタルスチルカメラ、カメラ機能付き携帯端末、静止画撮影機能を有するデジタルビデオカメラ等に適用することができ、有用である。
【符号の説明】
【００２１】
１００  デジタルスチルカメラ
１０１  撮像素子
１０２  信号処理部
１０３  フレームメモリ
１０４  顔領域検出部
１０５  顔照合部
１０６  顔照合データベース
１０７  停止状態検出部
１０８  記録部
１０９  記録媒体
１１０  制御部
１１１  光学系
１１２  ＡＤコンバータ
【図１】
2010263456.tif 000003
【図２】
2010263456.tif 000004